(57)【特許請求の範囲】
【請求項１】
電動機の駆動力により投入ばねにばね力を蓄勢し、この投入ばねのばね力により可動電極を作動して開閉器を閉路する開閉器の操作装置において、
前記電動機の軸に設けた偏心車と、
前記偏心車に駆動され機枠に取付けたワンウェイクラッチに一方向のみ回転可能に支持された駆動軸と、
前記機枠に軸支され開閉器の可動電極を作動する作動軸と、
前記作動軸に取付けたレバーの端部に設けたローラに係合し前記機枠に回転可能に取付けられた蓄勢ラッチレバーと、
一端を前記作動軸の前記レバーに掛止し、他端を前記駆動軸に掛止した投入ばねと、
前記駆動軸に連動し端部を前記蓄勢ラッチレバーの端面に設けたピンに係合する投入リンクとを設けたことを特徴とする開閉器の操作装置。
【発明の詳細な説明】
【０００１】
【発明の属する技術分野】
本発明は、開閉器を電動操作で開閉路する開閉器の操作装置に関するものである。
【０００２】
【従来の技術】
従来の開閉器の操作装置は、図２に示すように構成されている。
図において、５１は電動機で、この電動機軸に偏心車５２が設けられている。５３は前記偏心車５２に噛み合うローラ５４を有する揺動レバーで、駆動軸５５に固定してある。この駆動軸５５は、機枠５６に取付けたワンウェイクラッチ５７に一方向のみ回転可能に支持されている。５８は駆動軸５５に固定されたレバー、５９は機枠５６とレバー５８との間に張架した遮断ばね、６０は機枠５６の軸受６１に支持された作動軸で、軸端に設けたリンク機構６２を介して開閉器の可動電極６３に連結され、作動軸６０の回動により可動電極６３を作動して開閉器を開閉路するように構成してある。６４は作動軸６０に固定したレバー、６５はレバー６４とレバー５８との間に張架した投入ばね、６６は機枠５６に回動しうるように支持された回動軸で、この回動軸６６に蓄勢ラッチレバー６７が設けられている。６８は作動軸６０に固定されたレバーで、端部にローラ６９が設けられ、このローラ６９を前記蓄勢ラッチレバー６７に係合させてある。７０は機枠５６に設けた投入電磁石で、この投入電磁石７０の可動部を前記蓄勢ラッチレバー６７に係合させてある。７１はレバー５８の端部に設けたローラで、機枠５６に設けた軸７２に回動しうるように取付けた投入ラッチレバー７３に係合させてある。７４は機枠５６に取付けた引外し電磁石で、この引外し電磁石７４の可動部を前記投入ラッチレバー７３に係合させてある。７５は駆動軸５５に固定したレバー、７６は前記レバー７５に操作されるスイッチで、前記電動機５１の駆動回路を開閉路するように構成してある。７７はレバー５８とレバー６４とを連結するリンク機構である。
つぎに、開閉器の閉路動作について説明をする。
電動機５１を始動すると、電動機５１の軸に取付けた偏心車５２が一体に回転する。この偏心車５２に係合するローラ５４を介して駆動軸５５を回動し、駆動軸５５が回動すると、この駆動軸５５に固定したレバー５８を介して投入ばね６５および遮断ばね５９にばね力を蓄勢する。前記駆動軸５５が所定の回転をすると、前記駆動軸５５のレバー７５がスイッチ７６を操作して電動機の駆動回路を開路して電動機５１を停止する。この電動機５１の回転が停止すると、作動軸６０に固定したレバー６８のローラ６９が蓄勢ラッチレバー６７に係合して投入ばね６５のばね力を保持するとともに、レバー５８の端部に設けたローラ７１が投入ラッチレバー７３に係合して遮断ばね５９のばね力を保持して、閉路待機状態となる。
この閉路待機状態から閉路動作の指令により投入電磁石７０を作動すると、投入電磁石７０の可動部が蓄勢ラッチレバー６７を回動する。この蓄勢ラッチレバー６７が回動すると、この蓄勢ラッチレバー６７に係合するローラ６９が蓄勢ラッチレバー６７との係合を釈放する。前記ローラ６９の係合が釈放されると、作動軸６０が回動してリンク機構６２を介して開閉器の可動電極６３を作動して開閉器を閉路する。
つぎに、開閉器の開路動作について説明をする。
開閉器の閉路状態から開路動作の指令により引外し電磁石７４を作動させると、引外し電磁石７４の可動部が投入ラッチレバー７３を回動する。この投入ラッチレバー７３が回動すると、この投入ラッチレバー７３に係合するローラ７１と投入ラッチレバー７３との係合が釈放される。この投入レバー７３の係合が釈放されると、レバー５８に連結したリンク機構７７を介してレバー６４を回動する。このレバー６４の回動により作動軸６０を回動する。この作動軸６０の回動によりリンク機構６２を介して可動電極６３を作動して開閉器を開路する。
【０００３】
【発明が解決しようとする課題】
ところが、従来の開閉器の操作装置はつぎのような欠点がある。
（１）遮断器を閉路するには、電動機を駆動し投入ばねにばね力を蓄勢して閉路待機状態にし、この閉路待機状態から投入電磁石を励磁して前記投入ばねのばね力を放勢して可動電極を作動して開閉器を閉路するため、閉路指令から開閉器が閉路するまでに時間がかかる。
（２）開閉器を閉路する投入電磁石が必要となり、部品点数が増大する。
本発明は、開閉器の閉路指令から開閉器が閉路するまでの時間を短縮し、かつ、部品点数を削減することを目的とする。
【０００４】
【課題を解決するための手段】
上記問題点を解決するために、本発明は、電動機の駆動力により投入ばねにばね力を蓄勢し、この投入ばねのばね力により可動電極を作動して開閉器を閉路する開閉器の操作装置において、前記電動機の軸に設けた偏心車と、前記偏心車に駆動され機枠に取付けたワンウェイクラッチに一方向のみ回転可能に支持された駆動軸と、前記機枠に軸支され開閉器の可動電極を作動する作動軸と、前記作動軸に取付けたレバーの端部に設けたローラに係合し前記機枠に回転可能に取付けられた蓄勢ラッチレバーと、一端を前記作動軸の前記レバーに掛止し、他端を駆動軸に掛止した投入ばねと、前記駆動軸に連動し端部を蓄勢ラッチレバーの端面に設けたピンに係合する投入リンクとを設けるようにしている。
【０００５】
【発明の実施の形態】
以下、本発明を図に示す実施例に基づいて説明する。
図１は、本発明の実施例を示す開閉器の操作装置の展開構成図である。
図において、１は電動機で、この電動機１の軸に偏心車２が取付けてある。３は前記偏心車２に噛み合うローラ４を有する揺動レバーで、駆動軸５に固定してある。駆動軸５は、機枠６に取付けたワンウェイクラッチ７に一方向にのみ回転可能に支持されている。８は駆動軸５に固定したレバー、９は機枠６とレバー８との間に張架した遮断ばね、１０は機枠６の軸受１１に支持された作動軸で、軸端にリンク機構１２が設けられ、このリンク機構１２に開閉器の可動電極１３に連結され、作動軸１０の回動により可動電極１３を作動して開閉器を開閉路するようにしてある。１４は作動軸１０に固定したレバー、１５はレバー１４とレバー８との間に張架した投入ばね、１６は機枠６に回動しうるように支持された回動軸で、この回動軸１６に蓄勢ラッチレバー１７が設けられている。１８は作動軸１０に固定したレバーで、端部にローラ１９が設けられ、このローラ１９を前記蓄勢ラッチレバー１７に係合してある。２０は前記駆動軸５に一端を固定した投入リンクで、他端を前記蓄勢ラッチレバー１７の板面に植設したピン２１に係止させてある。２２はレバー８の端部に設けたローラで、機枠に設けた軸２３に回動しうるように取付けた投入ラッチレバー２４に係合している。２５は機枠６に取付けた引外し電磁石で、この引外し電磁石２５の可動部を前記投入ラッチレバー２４に係合させてある。
つぎに、開閉器の閉路動作について、以下に説明をする。
電動機１を始動すると、電動機１の軸に取付けた偏心車２が一体に回転する。この偏心車２に噛み合うローラ４を介して駆動軸５を回動し、駆動軸５が回動するとこの駆動軸５に固定したレバー８を介して投入ばね１５および遮断ばね９にばね力を蓄勢する。偏心車２が１回転すると、投入ばね１５および遮断ばね９にばね力の蓄勢が完了する。投入ばね１５の蓄勢が完了すると、投入リンク２０が蓄勢ラッチレバー１７に設けたピン２１を押して蓄勢ラッチレバー１７を回転させてローラ１９との係合を外し、蓄勢ラッチレバー１７の係止を解錠する。蓄勢ラッチレバー１７の係止が解錠されると、投入ばね１５のばね力により、作動軸１０がリンク機構１２と一体に回動して可動電極１３を作動して開閉器を閉路する。
つぎに、開閉器の開路動作について説明をする。
前記開閉器の閉路状態から開路動作の指令により、引外し電磁石２５を作動させると、引外し電磁石２５の可動部が投入ラッチレバー２４を回動させ、この投入ラッチレバー２４が回動すると、この投入ラッチレバー２４に係合するローラ２２との係合が釈放されて、レバー８に連結したリンク機構２６を介してレバー１４を回動し、このレバー１４の回動により作動軸１０を回動する。この作動軸１０の回動によりリンク機構１２を介して可動電極１３を作動して開閉器を開路する。
このように投入ばね１５にばね力の蓄勢が完了すると、投入リンク２０を介して蓄勢ラッチレバー１７とローラ１９との係合を釈放し、作動軸１０により可動電極１３を作動して開閉器を閉路するので、開閉器の閉路指令から開閉器が閉路するまでの時間を短縮することができる。
【０００６】
【発明の効果】
以上述べたように、本発明はつぎのような効果がある。
（１）開閉器を閉路するとき、投入ばねに蓄勢したばね力を保持する蓄勢ラッチレバーを電動機の回転力で釈放するようにしたので、開閉器の閉路指令から開閉器が閉路するまでの時間を短縮することができる。
（２）開閉器を閉路する投入電磁石を用いないので、部品点数を削減できコストダウンを図ることができる。
【図面の簡単な説明】
【図１】本発明の実施例を示す開閉器の操作装置の展開構成図である。
【図２】従来の開閉器の操作装置の展開構成図である。
【符号の説明】
１  電動機、  ２  偏心車、  ３  揺動レバー、  ４  ローラ、
５  駆動軸、  ６  機枠、  ７  ワンウェイクラッチ、  ８  レバー、
９  遮断ばね、  １０  作動軸、  １１  軸受、  １２  リンク機構、
１３  可動電極、  １４  レバー、  １５  投入ばね、  １６  回動軸、
１７  蓄勢ラッチレバー、  １８  レバー、  １９  ローラ、
２０  投入リンク、  ２１  ピン、  ２２  ローラ、  ２３  軸、
２４  投入ラッチレバー、  ２５  引き外し電磁石
【図１】
0003796698.tif 000002
【図２】
0003796698.tif 000003